(57)【要約】【課題】キャッシュレス機能を備えた別媒体としてのキャッシュレスカードの不正利用を有効に阻止することのできるキャッシュレス決済システムを提供する。【解決手段】利用可能期間を特定期間に限定して利用する限定キャッシュレスカード４であって、該限定キャッシュレスカードは、チケット用の情報を記録した基本情報記録領域４１と、限定キャッシュレスカードの発行原因である与信カードのカード情報を記録する与信カード情報記録領域４２１、前記キャッシュレスカードの有効期間を限定する有効期間限定情報記録領域４２２、及び前記限定キャッシュレスカードを無効化する無効化情報を記録する無効化情報記録領域４２３からなるキャッシュレスカード情報記録領域４２を備えた。【選択図】        図４
2004171478.tif 000002
【特許請求の範囲】
【請求項１】
利用可能期間を特定期間に限定して利用する限定キャッシュレスカードであって、該限定キャッシュレスカードは、
チケット用の情報を記録した基本情報記録領域と、
限定キャッシュレスカードの発行原因である与信カードのカード情報を記録する与信カード情報記録領域、前記キャッシュレスカードの有効期間を限定する有効期間限定情報記録領域、及び前記限定キャッシュレスカードを無効化する無効化情報を記録する無効化情報記録領域からなるキャッシュレスカード情報記録領域を備えたことを特徴とする限定キャッシュレスカード。
【請求項２】
チケット用の情報を記録した基本情報記録領域、並びに限定キャッシュレスカードの発行原因である与信カードのカード情報を記録する与信カード情報記録領域、前記キャッシュレスカードの有効期間を限定する有効期間限定情報記録領域、及び前記限定キャッシュレスカードを無効化する無効化情報を記録する無効化情報記録領域からなるキャッシュレスカード情報記録領域を備えた限定キャッシュレスカードを発券する限定キャッシュレスカード発券装置であって、該限定キャッシュレスカード発券装置は、
交通機関の出発地、出発時刻、到着地及び到着時刻に係る情報を格納した時刻表データベースを備え、
前記時刻表データベースを参照して前記限定キャッシュレスカードの基本情報記録領域に交通機関のチケット情報を書き込むと共に、到着時刻情報をもとに有効期間限定情報を有効期間限定領域に書き込むことを特徴とする限定キャッシュレスカード発券装置。
【請求項３】
チケット用の情報を記録した基本情報記録領域、並びに限定キャッシュレスカードの発行原因である与信カードのカード情報を記録する与信カード情報記録領域、前記キャッシュレスカードの有効期間を限定する有効期間限定情報記録領域、及び前記限定キャッシュレスカードを無効化する無効化情報を記録する無効化情報記録領域からなるキャッシュレスカード情報記録領域を備えた限定キャッシュレスカードと、
交通機関の出発地、出発時刻、到着地及び到着時刻に係る情報を格納した時刻表データベースを備え、
前記時刻表データベースを参照して前記限定キャッシュレスカードの基本情報記録領域に交通機関の利用券情報を書き込むと共に、到着時刻情報をもとに有効期間限定情報を有効期間限定領域に書き込む限定キャッシュレスカード発券装置と、
交通機関の改札口に備え、前記無効化情報記録領域に無効化情報書き込む改札手段を備えたことを特徴とするキャッシュレス決済システム。
【発明の詳細な説明】
【０００１】
【発明の属する技術分野】
本発明は限定キャッシュレスカード及び限定キャッシュレスカードを用いたキャッシュレス決済システムにかかり、特にカードの機能に限定を課すことのできる限定キャッシュレスカード及び限定キャッシュレスカードを用いたキャッシュレス決済システムに関する。
【０００２】
【従来の技術】
従来、駅構内、空港内、電車内、飛行機内などで商品を購入する場合、購入する度に、現金、キャッシュカード、あるいはクレジットカード等を提示して購入代金を決済する。このため、購入の都度、いちいち財布から現金を出して商品を購入し、お釣りを財布に戻すなどの手間が生じた。またクレジットカードで商品を購入する際、クレジットカード会社にクレジットカードの認証を要求する必要がある。
【０００３】
このような不便性を解消するため、クレジットカードの信用をもとに特定の用途に応じた別媒体のカードを発行し、このカードを特定のエリア内で使用するキャッシュレスシステムが提案されている。例えば、特許文献１には、クレジットカードを発行原因として別媒体のカードを発行し、このカードを利用して料金を収受するシステムが示されている。このシステムにおいては、利用者はクレジットカードを支払媒体発行機に挿入する。すると、この支払媒体発行機はクレジットカード会社との間で与信照会と与信承認を行ってクレジット機能を備えた第２の支払媒体を発行する。利用者は、この媒体を用途が限定された状態でクレジットカードに準じた扱い方で利用する。例えば、プールなどの入場用タグにクレジット情報を書き込み利用する技術が開示されている。
【０００４】
【特許文献１】
特開２０００−２３１６５３号公報
【０００５】
【発明が解決しようとする課題】
前記従来のクレジットカードからクレジット機能を備えた別媒体を発行し、用途が限定された状態でクレジットカードと同等の使い方をするシステムでは、別媒体として発行した第２の支払媒体にはその有効期限を大まかにしか設定できない。このため支払媒体の利用終了後、第三者に継続して使用されてしまう危険性がある。例えば、前記タグの回収後の不正利用対策としては、タグの有効期間を発行当日限りとしてしか設定できないため、タグの暗証番号が漏洩した場合には、当日中は不正利用が継続されるおそれがある。
【０００６】
本発明はこれらの問題点に鑑みてなされたもので、キャッシュレス機能を備えた別媒体としてのキャッシュレスカードの不正利用を有効に阻止することのできるキャッシュレス決済システムを提供する。
【０００７】
【課題を解決するための手段】
本発明は、上記の課題を解決するために次のような手段を採用した。
【０００８】
利用可能期間を特定期間に限定して利用する限定キャッシュレスカードであって、該限定キャッシュレスカードは、チケット用の情報を記録した基本情報記録領域と、限定キャッシュレスカードの発行原因である与信カードのカード情報を記録する与信カード情報記録領域、前記キャッシュレスカードの有効期間を限定する有効期間限定情報記録領域、及び前記限定キャッシュレスカードを無効化する無効化情報を記録する無効化情報記録領域からなるキャッシュレスカード情報記録領域を備えた。
【０００９】
【発明の実施の形態】
以下、本発明の実施形態を添付図面を参照しながら説明する。図１は、本発明の実施形態にかかるキャッシュレス決済システムを説明する図である。図において、１０１は発券端末１０２を備えたサーバ、１０２は列車、バスの乗車券、船、飛行機の搭乗券等のチケットを発券する発券端末である。以下、チケットとして乗車券を例にとり説明する。前記乗車券は後述するように有効期間を特定期間に限定された限定クレジットカードとして機能する限定クレジットカード機能付き乗車券である。１０３は例えば列車の時刻表を格納した時刻表データベース、１０４はネットワーク、１０５はクレジットカード会社のサーバであり、ネットワーク１０４を介してサーバ１０１と接続する。
【００１０】
図２は、発券端末１０２の詳細を説明する図である。図において、２０１は乗車券の発券処理を制御するＣＰＵ、２０２は乗車券の予約状況、あるいはクレジットカードの認証結果等を表示する表示器、２０３はサーバ１０１及びクレジット会社のサーバ１０５と通信するための通信手段である。２０４はＣＰＵ２０１に発券処理のための情報等を入力するキーボード、２０５は乗車券を発券する乗車券発券手段、２０６はクレジットカード情報を読み込むクレジットカード読み取り手段、２０７は領収書等を印刷するプリンタ、３はクレジットカード、４は乗車券を示す。
【００１１】
図３は、時刻表データベースのテーブル内容を示す図である。図に示すように、各列車毎に各駅の出発時刻あるいは到着時刻を格納している。
【００１２】
図４は、限定クレジットカード機能付き乗車券の記録内容説明する図である。図において、４１は乗車券としての基本情報を記録する基本情報記録領域であり、出発駅記録領域４１１、出発時刻記録領域４１２、到着駅記録領域４１３、到着時刻記録領域４１４を備える。４２は限定クレジットカードとしての情報を記録する限定クレジットカード情報記録領域であり、限定クレジットカードとしての乗車券の発行原因である例えばクレジットカードのカード番号を記録するクレジットカード情報記録領域４２１、限定クレジットカード有効期限情報記録領域４２２、及び限定クレジットカード無効化情報記録領域４２３を備える。
【００１３】
図５は、発券端末１０２による発券処理を説明する図である。まず、ステップ５０１において、利用者から駅員に対する乗車券予約発券要求により駅員は発券端末１０２のキーボード２０４を操作して出発駅、到着駅、列車番号等を入力する。ステップ５０２において、乗車券予約発券要求を受け取ったＣＰＵ２０１は通信手段２０３を介してサーバ１０１にアクセスする。サーバ１０１は発券端末１０２の要求に応じてデータベース１０３を検索する。検索の結果、予約発券可能と判定した場合、発券端末１０２に対し発券許可、乗車券の値段、出発時刻、到着時刻を送信する。ステップ５０３において、発券端末のＣＰＵ２０１は発券許可、乗車券の値段、出発時刻、到着時刻を受信し、受信結果を表示器２０２に表示する。このとき、限定クレジットカードとしての乗車券の有効期間情報を、例えば前記到着時刻に所定時間を加減算して決定し、限定クレジットカード有効期間情報記録領域４２２に有効期間情報を記録する。なお、前記所定時間は利用者の要望に応じて適宜設定するとよい。
【００１４】
ステップ５０４において、駅員は利用者に対し現金で支払うか、クレジットカード３で支払うかを問い合わせる。利用者がクレジットカード３での支払いを選択した場合はステップ５０５に進み、現金での支払いを選択した場合はステップ５１０に進む。ステップ５１０において、通常の乗車券発券手続きに従って乗車券４を発券する。
【００１５】
ステップ５０５において、駅員はクレジットカード３をクレジットカード読み取り手段２０６を用いて読み取る。ステップ５０６において、ＣＰＵ２０１は、読み取ったカード情報を通信手段２０３及びネットワーク１０４を介してクレジットカード会社１０５のサーバ１０５に接続し、クレジットカードの認証を要求する。ステップ５０７において、クレジットカード会社側がクレジットカード３を認証したか否かを判定し、認証した場合はステップ５０８に進み、そうでない場合はステップ５１１に進む。ステップ５１１において、認証不可である旨の表示を表示器２０２に表示して処理を終了する。ステップ５０８において、認証の結果を表示器２０２に表示する。駅員は利用者に乗車券を限定クレジットカードとしての乗車券４として発券するか通常の乗車券として発券するか問合せを行う。利用者が限定クレジットカードとしての乗車券４を選択した場合、キーボード２０４から限定クレジットカードとしての乗車券４の発行依頼をＣＰＵ２０１に発行する。ＣＰＵ２０１は乗車券発行手段２０５に対し、出発駅、出発時刻、到着駅、到着時刻、クレジットカード番号、限定クレジットカード有効期限の各情報を送信し、乗車券発行手段２０５はこれらの情報に基づいて限定クレジットカードとしての乗車券４を発券する。ステップ５０９において、プリンタ２０７は領収書を印刷して利用者に発行する。
【００１６】
図６は、限定クレジットカード機能付き乗車券４を利用することのできるＰＯＳシステムを説明する図である。図において、６０１はＰＯＳシステム全体を制御するＣＰＵ、６０２は乗車券読み取り器６０３で読み取った情報及び利用者（乗客）が購入した商品情報を表示する表示器、６０３は利用者が提示した乗車券４の情報を読み取る乗車券読み取り器、６０４は領収書等を印刷するプリンタ、６０５は利用者が購入した商品情報を記録するハードディスク等の記録装置である。
【００１７】
図７は、ＰＯＳシステムを６００を用いた販売処理を説明する図である。まず、ステップ７０１において、利用者は購入する商品をＰＯＳシステムを備えた店舗の店員に手渡す。店員は前記商品の商品情報を図示しないバーコードリーダ等を介して読み込む。ステップ７０２において、ＣＰＵ６０１は商品情報をもとに販売代金を計算し、計算結果を表示器６０２に表示する。ステップ７０３において、店員は利用者に支払を現金で行うか限定クレジットカード機能付きの乗車券４で行うかを問い合わせ、現金で行う場合はステップ７０４に進み、乗車券４で行う場合はステップ７０５に進む。ステップ７０４において利用者は現金による支払いを行う。
【００１８】
ステップ７０５において、乗車券読み取り機６０３により乗車券４を読み取る。ステップ７０６において、ＣＰＵ６０１は乗車券４の有効期限が過ぎているか否かを判定し、過ぎている場合はステップ７０７に進む。ステップ７０７において、利用者は現金あるいは他のクレジットカードを用いた支払を行う。ステップ７０８において、プリンタ６０４を用いて領収書を発行する。ステップ７０９において、記録装置６０５に購入した商品情報を記録する。記録装置６０５に記録した商品情報は、クレジットカード会社にまとめて請求するクレジット情報として使用する。
【００１９】
目的地に到着した後は改札口に乗車券４を通す際に、限定クレジットカード機能付き乗車券４の無効化情報記録領域４２３にクレジット機能を無効にする無効化情報を書き込む。これにより、限定クレジットカード有効期間内に到着した後における不正利用を防ぐことができる。
【００２０】
以上説明したように、限定クレジットカード機能付き乗車券４を用いると、限定クレジットカード有効期間領域４２２に設定した範囲内における到着時間まで、乗車券４を利用して商品を購入することができる。
【００２１】
このため、購入の度に財布から現金またはクレジットカードを出さずに商品を購入することができる。また、限定クレジットカードとしての乗車券４を購入する際にクレジットカード会社にて認証を受けているので、クレジットカード機能付乗車券４を使用して商品を購入する毎に行うクレジットカード会社の認証を免除することができる。更に不正使用防止を強化するためには、クレジットカード機能付き乗車券に暗証番号を記録しておき、利用する度に暗証番号を入力して本人認証を行うこともできる。なお、以上の説明では、クレジットカード機能付き乗車券の発行原因となる与信カードとしてクレジットカードを用いた例について説明したが、クレジットカードに代えて、キャッシュカード、電子マネーカード等のキャッシュレスカードを利用することができる。この場合は、前記限定クレジットカードとしての情報を記録する限定クレジットカード情報記録領域４２にはその発行原因となるキャッシュカード、電子マネーカード等のキャッシュレスカード情報を記録する。なお、この場合は前記限定クレジットカード有効期間領域には限定キャッシュカード有効期間領域として機能することになる。
【００２２】
【発明の効果】
以上説明したように本発明によれば、キャッシュレス機能を備えた別媒体としてのキャッシュレスカードの不正利用を阻止することのできるキャッシュレス決済システムを提供することができる。
【図面の簡単な説明】
【図１】本発明の実施形態にかかるキャッシュレス決済システムを説明する図である。
【図２】発券端末１０２の詳細を説明する図である。
【図３】時刻表データベースのテーブル内容を示す図である。
【図４】乗車券の記録内容説明する図である。
【図５】発券端末１０２による発券処理を説明する図である。
【図６】限定クレジットカードとしての乗車券４を利用することのできるＰＯＳシステムを説明する図である。
【図７】ＰＯＳシステム６００を用いた販売処理を説明する図である。
【符号の説明】
１０１  サーバ
１０２  発券端末
１０３  時刻表データベース
１０４  ネットワーク
１０５  クレジット会社のサーバ
２０１，６０１  ＣＰＵ
２０２，６０２  表示器
２０３  通信手段
２０４，６０６  キーボード
２０５  乗車券発行手段
２０６  クレジットカード読み取り手段
２０７、６０４  プリンタ
６０３  乗車券読み取り器
６０５  記録装置
【図１】
2004171478.tif 000003
【図２】
2004171478.tif 000004
【図３】
2004171478.tif 000005
【図４】
2004171478.tif 000006
【図５】
2004171478.tif 000007
【図６】
2004171478.tif 000008
【図７】
2004171478.tif 000009